(57)【要約】【課題】この発明は、例えば５．１チャンネル以上の多チャンネルに対応した音声再生を容易に実現することができるようにして、コンテンツ作成者の意図に対応した音声再生を行なうことを可能とし、ユーザにとって使い易く十分に実用に適し得る音声再生装置及び音声再生方法を提供することを目的としている。【解決手段】入力された音声情報を、光ディスク再生装置（１１）が再生可能な音声チャンネルと再生不可能な音声チャンネルとに分割するための選択情報を生成する手段（３６ｅ）と、生成された選択情報に基づいて、入力された音声情報から光ディスク再生装置（１１）が再生不可能な音声チャンネルの音声情報を分割し、その分割された音声情報を外部の音声再生機器（１８）に出力して音声再生に供させる分割手段（３２）とを備える。【選択図】図１
2009087449.tif 000002
【特許請求の範囲】
【請求項１】
入力された音声情報を解析して再生可能な音声チャンネル数を含むチャンネル情報を取得するチャンネル情報取得手段と、
外部の音声再生機器に対してそれが再生可能な音声チャンネル数を含む音声再生能力情報を要求し、当該音声再生機器からその音声再生能力情報を取得する再生能力情報取得手段と、
前記チャンネル情報取得手段で取得したチャンネル情報、前記再生能力情報取得手段で取得した音声再生能力情報及び自己の有する音声再生能力情報に基づいて、入力された音声情報を、自己が再生可能な音声チャンネルと自己が再生不可能な音声チャンネルとに分割するための選択情報を生成する選択情報生成手段と、
前記選択情報生成手段で生成された選択情報に基づいて、入力された音声情報から自己が再生可能な音声チャンネルの音声情報を分割し、その分割された音声情報を自己に接続されたスピーカでの音声再生に供させるとともに、前記選択情報生成手段で生成された選択情報に基づいて、入力された音声情報から自己が再生不可能な音声チャンネルの音声情報を分割し、その分割された音声情報を前記音声再生機器に出力して該音声再生機器での音声再生に供させる分割手段とを具備することを特徴とする音声再生装置。
【請求項２】
前記分割手段は、入力された音声情報を解析して得られたチャンネル情報と、前記選択情報生成手段で生成された選択情報とを比較して、入力された音声情報を、自己が再生可能な音声チャンネルの音声情報と自己が再生不可能な音声チャンネルの音声情報とに分割することを特徴とする請求項１記載の音声再生装置。
【請求項３】
前記選択情報には、自己に接続されたスピーカ及び前記音声再生機器に接続されたスピーカと、各スピーカに再生させる音声チャンネルとの対応が示されていることを特徴とする請求項１記載の音声再生装置。
【請求項４】
前記分割手段は、入力された音声情報に復号化処理を施した後の音声情報を前記音声再生機器に出力することを特徴とする請求項１記載の音声再生装置。
【請求項５】
前記分割手段は、入力された音声情報に復号化処理を施す前の音声情報を前記音声再生機器に出力することを特徴とする請求項１記載の音声再生装置。
【請求項６】
前記選択情報生成手段で生成された選択情報を前記音声再生機器に出力することを特徴とする請求項５記載の音声再生装置。
【請求項７】
入力された音声情報を解析して再生可能な音声チャンネル数を含むチャンネル情報を取得する工程と、
外部の音声再生機器に対してそれが再生可能な音声チャンネル数を含む音声再生能力情報を要求し、当該音声再生機器からその音声再生能力情報を取得する工程と、
取得したチャンネル情報、前記音声再生機器から取得した音声再生能力情報及び自己の有する音声再生能力情報に基づいて、入力された音声情報を、自己が再生可能な音声チャンネルと自己が再生不可能な音声チャンネルとに分割するための選択情報を生成する工程と、
生成された選択情報に基づいて、入力された音声情報から自己が再生可能な音声チャンネルの音声情報を分割し、その分割された音声情報を自己に接続されたスピーカでの音声再生に供させるとともに、前記選択情報に基づいて、入力された音声情報から自己が再生不可能な音声チャンネルの音声情報を分割し、その分割された音声情報を前記音声再生機器に出力して該音声再生機器での音声再生に供させる工程とを具備することを特徴とする音声再生方法。
【請求項８】
入力された音声情報を解析して再生可能な音声チャンネル数を含むチャンネル情報を取得するチャンネル情報取得手段と、外部に対して再生可能な音声チャンネル数を含む音声再生能力情報を要求し取得する再生能力情報取得手段と、前記チャンネル情報取得手段で取得したチャンネル情報、前記再生能力情報取得手段で取得した音声再生能力情報及び自己の有する音声再生能力情報に基づいて、入力された音声情報を、自己が再生可能な音声チャンネルと自己が再生不可能な音声チャンネルとに分割するための選択情報を生成する選択情報生成手段と、前記選択情報生成手段で生成された選択情報に基づいて、入力された音声情報から自己が再生可能な音声チャンネルの音声情報を分割し、その分割された音声情報を自己に接続されたスピーカでの音声再生に供させるとともに、前記選択情報生成手段で生成された選択情報に基づいて、入力された音声情報から自己が再生不可能な音声チャンネルの音声情報を分割し、その分割された音声情報を外部に出力する分割手段とを備えた第１の音声再生装置と、
前記第１の音声再生装置からの音声再生能力情報の取得要求を受け自己の音声再生能力情報を前記第１の音声再生装置に出力する再生能力情報出力手段と、前記第１の音声再生装置から出力される音声情報を受け自己に接続されたスピーカでの音声再生に供させる制御手段とを備えた第２の音声再生装置と
を具備する音声再生システム。
【発明の詳細な説明】
【技術分野】
【０００１】
この発明は、例えば５．１チャンネル以上の多チャンネルに対応した音声再生を行なう音声再生装置及び音声再生方法に関する。
【背景技術】
【０００２】
周知のように、近年では、デジタル記録媒体としてＤＶＤ（digital versatile disk）等の光ディスクが普及している。そして、現在では、ＤＶＤよりもさらに高密度記録が可能な、いわゆるＨＤ（high definition）−ＤＶＤと称されるハイビジョン対応の次世代ＤＶＤ規格も完成している。
【０００３】
ところで、この種の次世代光ディスクでは、音声記録に対して、例えばＤＴＳ（digital theater system）−ＨＤ（high definition）やdolby trueＨＤ等のような新規フォーマットが開発されている。この新規フォーマットでは、音声再生するチャンネル数をコンテンツ作成者が自由に設定することができるようになっている。
【０００４】
これに対し、現行の一般的なホームシアターシステムに用いられる音声再生系は、５．１チャンネルの音声再生を行なうものが主流である。このため、５．１チャンネル以上の音声チャンネルの再生が要求されるようになった場合には、その要求に正確に応えることができず、コンテンツ作成者の意図する音声再生を行なえないのが現状である。
【０００５】
特許文献１には、ホームサーバが、そこに接続されている複数の音響機器それぞれの再生可能な音声チャンネル数を管理し、ユーザの位置や音声再生に使用するチャンネル数等に応じて、音声再生に使用する音響機器を組み合わせることにより、多チャンネルに対応した音声再生を行なうようにすることが開示されている。
【特許文献１】特開２００４−２３６１９２号公報
【発明の開示】
【発明が解決しようとする課題】
【０００６】
そこで、この発明は上記事情を考慮してなされたもので、例えば５．１チャンネル以上の多チャンネルに対応した音声再生を容易に実現することができるようにして、コンテンツ作成者の意図に対応した音声再生を行なうことを可能とし、ユーザにとって使い易く十分に実用に適し得る音声再生装置及び音声再生方法を提供することを目的とする。
【課題を解決するための手段】
【０００７】
この発明に係る音声再生装置は、入力された音声情報を解析して再生可能な音声チャンネル数を含むチャンネル情報を取得するチャンネル情報取得手段と、外部の音声再生機器に対してそれが再生可能な音声チャンネル数を含む音声再生能力情報を要求し、当該音声再生機器からその音声再生能力情報を取得する再生能力情報取得手段と、チャンネル情報取得手段で取得したチャンネル情報、再生能力情報取得手段で取得した音声再生能力情報及び自己の有する音声再生能力情報に基づいて、入力された音声情報を、自己が再生可能な音声チャンネルと自己が再生不可能な音声チャンネルとに分割するための選択情報を生成する選択情報生成手段と、選択情報生成手段で生成された選択情報に基づいて、入力された音声情報から自己が再生可能な音声チャンネルの音声情報を分割し、その分割された音声情報を自己に接続されたスピーカでの音声再生に供させるとともに、選択情報生成手段で生成された選択情報に基づいて、入力された音声情報から自己が再生不可能な音声チャンネルの音声情報を分割し、その分割された音声情報を音声再生機器に出力して該音声再生機器での音声再生に供させる分割手段とを備えるようにしたものである。
【０００８】
また、この発明に係る音声再生方法は、入力された音声情報を解析して再生可能な音声チャンネル数を含むチャンネル情報を取得する工程と、外部の音声再生機器に対してそれが再生可能な音声チャンネル数を含む音声再生能力情報を要求し、当該音声再生機器からその音声再生能力情報を取得する工程と、取得したチャンネル情報、音声再生機器から取得した音声再生能力情報及び自己の有する音声再生能力情報に基づいて、入力された音声情報を、自己が再生可能な音声チャンネルと自己が再生不可能な音声チャンネルとに分割するための選択情報を生成する工程と、生成された選択情報に基づいて、入力された音声情報から自己が再生可能な音声チャンネルの音声情報を分割し、その分割された音声情報を自己に接続されたスピーカでの音声再生に供させるとともに、選択情報に基づいて、入力された音声情報から自己が再生不可能な音声チャンネルの音声情報を分割し、その分割された音声情報を音声再生機器に出力して該音声再生機器での音声再生に供させる工程とを備えるようにしたものである。
【発明の効果】
【０００９】
上記した発明によれば、入力された音声情報を、自己が再生可能な音声チャンネルと自己が再生不可能な音声チャンネルとに分割し、自己が再生不可能な音声チャンネルの音声情報を外部の音声再生機器に出力して音声再生に供させるようにしたので、例えば５．１チャンネル以上の多チャンネルに対応した音声再生を容易に実現することができるようになり、コンテンツ作成者の意図に対応した音声再生を行なうことを可能とし、ユーザにとって使い易く十分に実用に適し得るものとなる。
【発明を実施するための最良の形態】
【００１０】
以下、この発明の実施の形態について図面を参照して詳細に説明する。図１は、この実施の形態で説明する音声再生システムの概略を示している。図１において、符号１１は、例えばＨＤ−ＤＶＤ等の光ディスクを再生する光ディスク再生装置である。この光ディスク再生装置１１は、５．１チャンネルに対応した音声再生を行なう機能を有している。
【００１１】
すなわち、この光ディスク再生装置１１には、フロントレフト（front left）スピーカ１２、フロントライト（front right）スピーカ１３、フロントセンター（front center）スピーカ１４、リアレフト（rear left）スピーカ１５、リアライト（rear right）スピーカ１６及び低域効果（low frequency effect）スピーカ１７がそれぞれ接続されている。
【００１２】
そして、この光ディスク再生装置１１は、光ディスクを再生して得られた音声信号のうち、フロントレフトチャンネル、フロントライトチャンネル、フロントセンターチャンネル、リアレフトチャンネル、リアライトチャンネル及び低域効果チャンネルの各音声信号を、上記した各スピーカ１２〜１７にそれぞれ対応的に供給して音声再生させることにより、５．１チャンネルに対応した音声再生を行なうことができる。
【００１３】
また、この光ディスク再生装置１１は、音声再生機器１８を接続しており、光ディスクを再生して得られた音声信号のチャンネル数が５．１チャンネルよりも多い場合に、自己で再生することのできない余剰チャンネル分の音声信号を、音声再生機器１８に出力して音声再生させるようにしている。
【００１４】
すなわち、この音声再生機器１８には、フロントレフトスピーカ１９、フロントライトスピーカ２０、リアレフトスピーカ２１及びリアライトスピーカ２２がそれぞれ接続されている。そして、この音声再生機器１８は、光ディスク再生装置１１から供給された音声信号のうち、フロントレフトセンターチャンネル、フロントライトセンターチャンネル、リアレフトセンターチャンネル及びリアライトセンターチャンネルの各音声信号を、上記した各スピーカ１９〜２２にそれぞれ対応的に供給して音声再生させることにより、光ディスク再生装置１１で音声再生されるチャンネル数と合わせて、合計で９．１チャンネルに対応した音声再生を行なうことができる。
【００１５】
上記した実施の形態によれば、光ディスク再生装置１１で音声再生可能なチャンネル数を超える、つまり、光ディスク再生装置１１で音声再生不可能な余剰のチャンネルに対応する音声信号を、別の音声再生機器１８に分配して音声再生させるようにしているので、例えば５．１チャンネル以上の多チャンネルに対応した音声再生を容易に実現することができ、コンテンツ作成者の意図に対応した音声再生を行なうことが可能となる。
【００１６】
図２は、上記光ディスク再生装置１１の信号処理系を示している。すなわち、この光ディスク再生装置１１は、光ディスク２３を装着してそこに記録されているデータを読み取るディスクドライブ部２４を備えている。このディスクドライブ部２４で読み取られたデータは、分離部２５に供給されて映像データと音声データとに分離される。
【００１７】
この分離部２５で分離された映像データは、映像復号化部２６に供給されて復号化処理が施され、グラフィック処理部２７に供給されて所定のＯＳＤ（on screen display）信号が重畳された後、出力端子２８を介して外部の映像表示部２９に供給されて映像表示に供される。
【００１８】
また、上記分離部２５で分離された音声データは、音声復号化部３０に供給されて復号化処理が施され、ポスト処理部３１に供給されてダウンミックス等のポスト処理が施された後、音声分割部３２に供給される。この音声分割部３２は、入力された音声信号から、光ディスク再生装置１１で音声再生可能な５．１チャンネル分の音声信号と、そのチャンネル数を超える余剰チャンネルに対応する音声信号とを分離する。
【００１９】
そして、この音声分割部３２で分割された５．１チャンネル分の各音声信号は、それぞれ出力端子３３１〜３３６を介して対応するスピーカ１２〜１７に供給され音声再生される。また、音声分割部３２で分割された余剰チャンネル分の各音声信号は、インターフェース部３４に供給されて、例えばＨＤＭＩ（high definition multimedia interface）規格に準拠した形態に変換された後、入出力端子３５を介して上記音声再生機器１８に供給される。
【００２０】
ここで、この光ディスク再生装置１１は、上記した再生動作を含むその全ての動作を制御部３６によって統括的に制御されている。この制御部３６は、ＣＰＵ（central processing unit）３６ａを内蔵しており、リモートコントローラ３７から送出され受光部３８で受信した操作情報を受けて、その操作内容が反映されるように各部をそれぞれ制御している。
【００２１】
この場合、制御部３６は、主として、メモリ部３６ｂを利用している。そのメモリ部３６ｂは、ＣＰＵ３６ａが実行する制御プログラムを格納したＲＯＭ（read only memory）と、該ＣＰＵ３６ａに作業エリアを提供するＲＡＭ（random access memory）と、各種の設定情報及び制御情報等が格納される不揮発性メモリとを有している。
【００２２】
また、上記制御部３６は、上記分離部２５で分離された音声データを解析してチャンネル情報を得る情報解析部３６ｃを有している。この情報解析部３６ｃは、音声データに含まれるチャンネル数や、どのチャンネルに対応する音声信号が含まれているか等の属性情報を解析するものである。そして、上記制御部３６は、上記情報解析部３６ｃで得られたチャンネル情報を格納する情報格納部３６ｄを有している。
【００２３】
さらに、上記制御部３６は、再生能力判断部３６ｅを有している。この再生能力判断部３６ｅは、インターフェース部３４を介して音声再生機器１８と通信を行ない、音声再生機器１８の音声再生能力を示す情報を取得する。この音声再生能力情報には、音声再生可能なチャンネル数やチャンネルの種類等を示す情報が含まれている。
【００２４】
そして、この再生能力判断部３６ｅは、音声再生機器１８及び光ディスク再生装置１１の音声再生能力情報と、情報格納部３６ｄに格納されたチャンネル情報とに基づいて、光ディスク再生装置１１の各スピーカ１２〜１７及び音声再生機器１８の各スピーカ１９〜２２にどのチャンネルの音声信号を再生させるかを決定する。その後、この再生能力判断部３６ｅの決定結果に基づいて音声分割部３２が制御される。
【００２５】
なお、上記制御部３６は、上記再生能力判断部３６ｅが取得した音声再生機器１８の音声再生能力情報を格納するとともに、光ディスク再生装置１１自身の再生能力情報が格納される再生能力情報格納部３６ｆを有している。また、上記制御部３６は、再生能力判断部３６ｅの決定結果であるチャンネル選択情報を格納する選択情報格納部３６ｇを有している。
【００２６】
図３は、上記音声再生機器１８の信号処理系を示している。すなわち、この音声再生機器１８は、光ディスク再生装置１１の入出力端子３５に接続される入出力端子３９を備えている。これにより、光ディスク再生装置１１から出力される余剰チャンネル分の各音声信号は、音声再生機器１８の入出力端子３９に供給されることになる。そして、この入出力端子３９に供給された各音声信号は、インターフェース部４０を介して駆動部４１に供給された後、それぞれ出力端子４２１〜４２４を介して対応するスピーカ１９〜２２に供給され音声再生される。
【００２７】
この音声再生機器１８は、上記した再生動作を含むその全ての動作を制御部４３によって統括的に制御されている。この制御部４３は、ＣＰＵ４３ａを内蔵しており、光ディスク再生装置１１から供給される制御情報を受けて、その制御内容が反映されるように各部をそれぞれ制御している。
【００２８】
この場合、制御部４３は、主として、メモリ部４３ｂを利用している。そのメモリ部４３ｂは、ＣＰＵ４３ａが実行する制御プログラムを格納したＲＯＭと、該ＣＰＵ４３ａに作業エリアを提供するＲＡＭと、各種の設定情報及び制御情報等が格納される不揮発性メモリとを有している。
【００２９】
また、上記制御部４３は、音声再生機器１８自身の再生能力情報が格納される再生能力情報格納部４３ｃを有している。そして、この制御部４３は、再生能力情報格納部４３ｃに格納された再生能力情報を、光ディスク再生装置１１からの要求に応じて、インターフェース部４０から入出力端子３９を介して光ディスク再生装置１１に出力するように機能する。
【００３０】
上記のような構成となされた音声再生システムにおいて、以下、その動作について説明する。図４及び図５は、上記光ディスク再生装置１１の主要な処理動作をまとめたフローチャートを示している。すなわち、処理が開始（ステップＳ４ａ）され、ステップＳ４ｂで、再生能力情報格納部３６ｆに光ディスク再生装置１１の音声再生能力情報が記録されている状態で、制御部３６は、ステップＳ４ｃで、音声再生機器１８に対してその音声再生能力情報の取得を要求する。
【００３１】
そして、制御部３６は、ステップＳ４ｄで、音声再生機器１８から音声再生能力情報を取得したと判断した場合（ＹＥＳ）、ステップＳ４ｅで、音声再生機器１８から取得した音声再生能力情報を再生能力情報格納部３６ｆに格納する。
【００３２】
この場合、再生能力情報格納部３６ｆに格納された光ディスク再生装置１１の音声再生能力情報は、例えば図６（ａ）に示すように、接続されているスピーカ１２〜１７によって音声再生可能なチャンネル数やチャンネル種別を示している。すなわち、光ディスク再生装置１１には、フロントレフト、フロントライト、フロントセンター、リアレフト、リアライト及び低域効果用の各スピーカ１２〜１７が接続されていることが示される。
【００３３】
また、再生能力情報格納部３６ｆに格納された音声再生機器１８の音声再生能力情報についても、例えば図６（ｂ）に示すように、接続されているスピーカ１９〜２２によって音声再生可能なチャンネル数やチャンネル種別を示している。すなわち、音声再生機器１８には、フロントレフト、フロントライト、リアレフト及びリアライトの各スピーカ１９〜２２が接続されていることが示される。
【００３４】
その後、制御部３６は、ステップＳ４ｆで、光ディスク２３の再生を開始し、ステップＳ４ｇで、光ディスク２３から取得した音声データを情報解析部３６ｃに解析させてチャンネル情報を取得し、そのチャンネル情報を情報格納部３６ｄに格納させる。この場合、チャンネル情報としては、音声データのチャンネル数が９．１チャンネルであり、チャンネルの種類として、フロントレフトチャンネル、フロントライトチャンネル、フロントセンターチャンネル、リアレフトチャンネル、リアライトチャンネル、低域効果チャンネル、フロントレフトセンターチャンネル、フロントライトセンターチャンネル、リアレフトセンターチャンネル及びリアライトセンターチャンネルの音声信号が存在していることを示すものとなる。
【００３５】
次に、制御部３６は、ステップＳ４ｈで、光ディスク再生装置１１の各スピーカ１２〜１７及び音声再生機器１８の各スピーカ１９〜２２にどのチャンネルの音声信号を再生させるかを再生能力判断部３６ｅに決定させ、その決定結果であるチャンネル選択情報を選択情報格納部３６ｇに格納させる。
【００３６】
この場合、再生能力判断部３６ｅは、再生能力情報格納部３６ｆに格納された音声再生機器１８及び光ディスク再生装置１１の各音声再生能力情報と、チャンネル情報格納部３６ｄに格納されたチャンネル情報とに基づいて、各スピーカ１２〜１７，１９〜２２に再生させる音声信号のチャンネルを決定する。
【００３７】
すなわち、選択情報格納部３６ｇに格納されたチャンネル選択情報は、例えば図７に示すように、光ディスク再生装置１１について言えば、フロントレフトスピーカ１２にフロントレフトチャンネルの音声信号、フロントライトスピーカ１３にフロントライトチャンネルの音声信号、フロントセンタースピーカ１４にフロントセンターチャンネルの音声信号、リアレフトスピーカ１５にリアレフトチャンネルの音声信号、リアライトスピーカ１６にリアライトチャンネルの音声信号、低域効果スピーカ１７に低域効果チャンネルの音声信号を対応付けたものとなっている。
【００３８】
また、音声再生機器１８について言えば、フロントレフトスピーカ１９にフロントレフトセンターチャンネルの音声信号、フロントライトスピーカ２０にフロントライトセンターチャンネルの音声信号、リアレフトスピーカ２１にリアレフトセンターチャンネルの音声信号、リアライトスピーカ２２にリアライトセンターチャンネルの音声信号を対応付けたものとなっている。
【００３９】
そして、制御部３６は、ステップＳ４ｉで、チャンネル選択情報に基づいて音声復号化部３０により音声データに復号化処理を施させ、ステップＳ４ｊで、その復号化処理が施された音声信号にポスト処理部３１によりポスト処理を施させる。
【００４０】
その後、制御部３６は、ステップＳ４ｋで、音声分割部３２により、光ディスク再生装置１１で音声再生可能なチャンネルの音声信号と、光ディスク再生装置１１で音声再生不可能なチャンネルの音声信号とを分割し、光ディスク再生装置１１で音声再生不可能なチャンネルの音声信号を音声再生機器１８に出力する。この場合、音声分割部３２は、選択情報格納部３６ｇに格納されたチャンネル選択情報を参照して、各チャンネルの音声信号を分割している。
【００４１】
例えば、フロントレフトチャンネルの音声信号は、チャンネル選択情報において、光ディスク再生装置１１のフロントレフトスピーカ１２で音声再生させると記述されているので、光ディスク再生装置１１で音声再生可能であると判断する。また、フロントレフトセンターチャンネルの音声信号は、チャンネル選択情報において、音声再生機器１８のフロントレフトスピーカ１９で音声再生させると記述されているので、光ディスク再生装置１１で音声再生不可能であると判断する。
【００４２】
そして、制御部３６は、ステップＳ４ｌで、音声分割部３２により光ディスク再生装置１１で音声再生可能と判断されたチャンネルの各音声信号を、それぞれ出力端子３３１〜３３６を介して対応するスピーカ１２〜１７に供給させることにより音声再生を実行し、処理を終了（ステップＳ４ｍ）する。
【００４３】
図８は、上記ステップＳ４ｋにおける判断処理動作をまとめたフローチャートを示している。すなわち、処理が開始（ステップＳ８ａ）されると、音声分割部３２は、ステップＳ８ｂで、ポスト処理部３１から音声信号を入力し、ステップＳ８ｃで、その入力音声信号から得たチャンネル情報と選択情報格納部３６ｇに格納されたチャンネル選択情報とを比較し、ステップＳ８ｄで、どのチャンネルの音声信号が光ディスク再生装置１１で音声再生可能であるかを判別する。
【００４４】
ここで、光ディスク再生装置１１で音声再生可能である（ＹＥＳ）と判断されたチャンネルの音声信号について、音声分割部３２は、ステップＳ８ｅで、そのチャンネルの音声信号をスピーカ１２〜１７に出力する。また、光ディスク再生装置１１で音声再生不可能である（ＮＯ）と判断されたチャンネルの音声信号について、音声分割部３２は、ステップＳ８ｆで、そのチャンネルの音声信号を音声再生機器１８に出力させる。
【００４５】
そして、上記ステップＳ８ｅまたはステップＳ８ｆの後、音声分割部３２は、ステップＳ８ｇで、音声信号の入力が終了したか否かを判別し、終了していないと判断された場合（ＮＯ）にはステップＳ８ｂの処理に戻され、音声信号の入力が終了したと判断された場合（ＹＥＳ）には処理を終了（ステップＳ８ｈ）する。
【００４６】
図９は、上記音声再生機器１８の主要な処理動作をまとめたフローチャートを示している。すなわち、処理が開始（ステップＳ９ａ）され、ステップＳ９ｂで、再生能力情報格納部４３ｃに音声再生機器１８の音声再生能力情報が記録されている状態で、制御部４３は、ステップＳ９ｃで、光ディスク再生装置１１から音声再生能力情報の取得が要求されたか否かを判別し、要求されたと判断された場合（ＹＥＳ）、ステップＳ９ｄで、再生能力情報格納部４３ｃに格納された音声再生能力情報を光ディスク再生装置１１に送信する。
【００４７】
その後、制御部４３は、ステップＳ９ｅで、光ディスク再生装置１１からそこで音声再生不可能なチャンネルの音声信号が供給されたか否かを判別し、供給されたと判断された場合（ＹＥＳ）、ステップＳ９ｆで、入力された各音声信号をそれぞれ出力端子４２１〜４２４を介して対応するスピーカ１９〜２２に出力し、ステップＳ９ｇで、音声再生を実行して、処理を終了（ステップＳ９ｈ）する。
【００４８】
次に、上記した実施の形態の変形例について説明する。図１０は、上記光ディスク再生装置１１の信号処理系の変形例を示している。図１０において、図２と同一部分には同一符号を付して説明すると、分離部２５で分離された音声データは、音声分割部３２に供給されて光ディスク再生装置１１で音声再生可能な５．１チャンネル分の音声データと、そのチャンネル数を超える余剰チャンネルに対応する音声データとに分離される。
【００４９】
そして、光ディスク再生装置１１で音声再生可能な５．１チャンネル分の音声データについては、音声復号化部３０に供給されて復号化処理が施され、ポスト処理部３１に供給されてダウンミックス等のポスト処理が施された後、それぞれ出力端子３３１〜３３６を介して対応するスピーカ１２〜１７に供給され音声再生される。
【００５０】
また、光ディスク再生装置１１で音声再生可能なチャンネル数を超える余剰チャンネルに対応する復号化前の音声データは、インターフェース部３４に供給されて、例えばＨＤＭＩ規格に準拠した形態に変換された後、入出力端子３５を介して上記音声再生機器１８に供給されて音声再生に供される。
【００５１】
さらに、上記再生能力判断部３６ｅで生成されたチャンネル選択情報も、インターフェース部３４及び入出力端子３５を介して上記音声再生機器１８に供給されるようになっている。
【００５２】
図１１は、図１０に示した光ディスク再生装置１１に接続される音声再生機器１８の信号処理系を示している。図１１において、図３と同一部分には同一符号を付して説明すると、光ディスク再生装置１１から出力された余剰チャンネル分の音声データは、入出力端子３９及びインターフェース部４０を介して音声復号化部４４に供給されて復号化処理が施され、ポスト処理部４５に供給されてダウンミックス等のポスト処理が施された後、それぞれ出力端子４２１〜４２４を介して対応するスピーカ１９〜２２に供給され音声再生される。また、制御部４３は、光ディスク再生装置１１から出力されたチャンネル選択情報を格納する選択情報格納部４３ｄを有している。
【００５３】
図１２及び図１３は、図１０に示した光ディスク再生装置１１の主要な処理動作をまとめたフローチャートを示している。すなわち、処理が開始（ステップＳ１２ａ）され、ステップＳ１２ｂで、再生能力情報格納部３６ｆに光ディスク再生装置１１の音声再生能力情報が記録されている状態で、制御部３６は、ステップＳ１２ｃで、音声再生機器１８に対してその音声再生能力情報の取得を要求する。
【００５４】
そして、制御部３６は、ステップＳ１２ｄで、音声再生機器１８から音声再生能力情報を取得したと判断した場合（ＹＥＳ）、ステップＳ１２ｅで、音声再生機器１８から取得した音声再生能力情報を再生能力情報格納部３６ｆに格納する。
【００５５】
この場合、再生能力情報格納部３６ｆに格納された光ディスク再生装置１１の音声再生能力情報は、先に図６（ａ）に示したように、接続されているスピーカ１２〜１７によって音声再生可能なチャンネル数やチャンネル種別を示している。すなわち、光ディスク再生装置１１には、フロントレフト、フロントライト、フロントセンター、リアレフト、リアライト及び低域効果用の各スピーカ１２〜１７が接続されていることが示される。
【００５６】
また、再生能力情報格納部３６ｆに格納された音声再生機器１８の音声再生能力情報についても、先に図６（ｂ）に示したように、接続されているスピーカ１９〜２２によって音声再生可能なチャンネル数やチャンネル種別を示している。すなわち、音声再生機器１８には、フロントレフト、フロントライト、リアレフト及びリアライトの各スピーカ１９〜２２が接続されていることが示される。
【００５７】
その後、制御部３６は、ステップＳ１２ｆで、光ディスク２３の再生を開始し、ステップＳ１２ｇで、光ディスク２３から取得した音声データを情報解析部３６ｃに解析させてチャンネル情報を取得し、そのチャンネル情報を情報格納部３６ｄに格納させる。この場合、チャンネル情報としては、音声データのチャンネル数が９．１チャンネルであり、チャンネルの種類として、フロントレフトチャンネル、フロントライトチャンネル、フロントセンターチャンネル、リアレフトチャンネル、リアライトチャンネル、低域効果チャンネル、フロントレフトセンターチャンネル、フロントライトセンターチャンネル、リアレフトセンターチャンネル及びリアライトセンターチャンネルの音声信号が存在していることを示すものとなる。
【００５８】
次に、制御部３６は、ステップＳ１２ｈで、光ディスク再生装置１１の各スピーカ１２〜１７及び音声再生機器１８の各スピーカ１９〜２２にどのチャンネルの音声信号を再生させるかを再生能力判断部３６ｅに決定させ、その決定結果であるチャンネル選択情報を選択情報格納部３６ｇに格納させる。
【００５９】
この場合、再生能力判断部３６ｅは、再生能力情報格納部３６ｆに格納された音声再生機器１８及び光ディスク再生装置１１の各音声再生能力情報と、チャンネル情報格納部３６ｄに格納されたチャンネル情報とに基づいて、各スピーカ１２〜１７，１９〜２２に再生させる音声信号のチャンネルを決定する。
【００６０】
すなわち、選択情報格納部３６ｇに格納されたチャンネル選択情報は、先に図７に示したように、光ディスク再生装置１１について言えば、フロントレフトスピーカ１２にフロントレフトチャンネルの音声信号、フロントライトスピーカ１３にフロントライトチャンネルの音声信号、フロントセンタースピーカ１４にフロントセンターチャンネルの音声信号、リアレフトスピーカ１５にリアレフトチャンネルの音声信号、リアライトスピーカ１６にリアライトチャンネルの音声信号、低域効果スピーカ１７に低域効果チャンネルの音声信号を対応付けたものとなっている。
【００６１】
また、音声再生機器１８について言えば、フロントレフトスピーカ１９にフロントレフトセンターチャンネルの音声信号、フロントライトスピーカ２０にフロントライトセンターチャンネルの音声信号、リアレフトスピーカ２１にリアレフトセンターチャンネルの音声信号、リアライトスピーカ２２にリアライトセンターチャンネルの音声信号を対応付けたものとなっている。
【００６２】
その後、制御部３６は、ステップＳ１２ｉで、再生能力判断部３６ｅが生成したチャンネル選択情報を音声再生機器１８に出力する。
【００６３】
そして、制御部３６は、ステップＳ１２ｊで、音声分割部３２により、光ディスク再生装置１１で音声再生可能なチャンネルの音声データと、光ディスク再生装置１１で音声再生不可能なチャンネルの音声データとを分割し、光ディスク再生装置１１で音声再生不可能なチャンネルの音声データを音声再生機器１８に出力する。この場合、音声分割部３２は、選択情報格納部３６ｇに格納されたチャンネル選択情報を参照して、各チャンネルの音声信号を分割している。
【００６４】
例えば、フロントレフトチャンネルの音声は、チャンネル選択情報において、光ディスク再生装置１１のフロントレフトスピーカ１２で再生させると記述されているので、光ディスク再生装置１１で音声再生可能であると判断する。また、フロントレフトセンターチャンネルの音声は、チャンネル選択情報において、音声再生機器１８のフロントレフトスピーカ１９で再生させると記述されているので、光ディスク再生装置１１で音声再生不可能であると判断する。
【００６５】
そして、制御部３６は、ステップＳ１２ｋで、チャンネル選択情報に基づき、光ディスク再生装置１１で音声再生可能と判断されたチャンネルの音声データについて、音声復号化部３０により復号化処理を施させ、ステップＳ１２ｌで、その復号化処理が施された音声信号にポスト処理部３１によりポスト処理を施させる。
【００６６】
その後、制御部３６は、ステップＳ１２ｍで、光ディスク再生装置１１で音声再生可能と判断されたチャンネルの復号化後の各音声信号を、それぞれ出力端子３３１〜３３６を介して対応するスピーカ１２〜１７に供給させることにより音声再生を実行し、処理を終了（ステップＳ１２ｎ）する。
【００６７】
図１４は、上記ステップＳ１２ｊにおける判断処理動作をまとめたフローチャートを示している。すなわち、処理が開始（ステップＳ１４ａ）されると、音声分割部３２は、ステップＳ１４ｂで、分離部２５で分離された復号化前の音声データを入力し、ステップＳ１４ｃで、その入力音声データからチャンネル情報を取得する。
【００６８】
その後、音声分割部３２は、ステップＳ１４ｄで、取得したチャンネル情報と選択情報格納部３６ｇに格納されたチャンネル選択情報とを比較し、ステップＳ１４ｅで、どのチャンネルの音声データが光ディスク再生装置１１で音声再生可能であるかを判別する。
【００６９】
ここで、光ディスク再生装置１１で音声再生可能である（ＹＥＳ）と判断されたチャンネルの音声データについて、音声分割部３２は、ステップＳ１４ｆで、そのチャンネルの音声データを音声復号化部３０に出力する。また、光ディスク再生装置１１で音声再生不可能である（ＮＯ）と判断されたチャンネルの音声データについて、音声分割部３２は、ステップＳ１４ｇで、そのチャンネルの音声データを音声再生機器１８に出力させる。
【００７０】
そして、上記ステップＳ１４ｆまたはステップＳ１４ｇの後、音声分割部３２は、ステップＳ１４ｈで、音声データの入力が終了したか否かを判別し、終了していないと判断された場合（ＮＯ）にはステップＳ１４ｂの処理に戻され、音声データの入力が終了したと判断された場合（ＹＥＳ）には処理を終了（ステップＳ１４ｉ）する。
【００７１】
図１５は、図１１に示した音声再生機器１８の主要な処理動作をまとめたフローチャートを示している。すなわち、処理が開始（ステップＳ１５ａ）され、ステップＳ１５ｂで、再生能力情報格納部４３ｃに音声再生機器１８の音声再生能力情報が記録されている状態で、制御部４３は、ステップＳ１５ｃで、光ディスク再生装置１１から音声再生能力情報の取得が要求されたか否かを判別し、要求されたと判断された場合（ＹＥＳ）、ステップＳ１５ｄで、再生能力情報格納部４３ｃに格納された音声再生能力情報を光ディスク再生装置１１に送信する。
【００７２】
その後、制御部４３は、ステップＳ１５ｅで、光ディスク再生装置１１からチャンネル選択情報が供給されたか否かを判別し、供給されたと判断された場合（ＹＥＳ）、ステップＳ１５ｆで、入力されたチャンネル選択情報を選択情報格納部４３ｄに格納する。
【００７３】
そして、制御部４３は、ステップＳ１５ｇで、光ディスク再生装置１１からそこで音声再生不可能なチャンネルの音声データが供給されたか否かを判別し、供給されたと判断された場合（ＹＥＳ）、ステップＳ１５ｈで、チャンネル選択情報に基づき、入力された音声データについて、音声復号化部４４により復号化処理を施させ、ステップＳ１５ｉで、その復号化処理が施された音声信号にポスト処理部４５によりポスト処理を施させる。
【００７４】
その後、制御部４３は、ステップＳ１５ｊで、ポスト処理後の各音声信号を、それぞれ出力端子４２１〜４２４を介して対応するスピーカ１９〜２２に供給させることにより音声再生を実行し、処理を終了（ステップＳ１５ｋ）する。
【００７５】
ここで、上記した実施の形態では、光ディスク再生装置１１の制御部３６が有する再生能力判断部３６ｅが、光ディスク再生装置１１及び音声再生機器１８の各音声再生能力情報と光ディスク２３から得られる音声のチャンネル情報とに基づいて、各スピーカ１２〜１７，１９〜２２に再生させる音声チャンネルを決定し、図７に示したようなチャンネル選択情報を作成するようにしている。
【００７６】
この場合、作成されたチャンネル選択情報をユーザが書き替えられるようにすれば、ユーザにとってより一層自由度の高い音声再生を行なうことができるようになる。例えば、図７に示すチャンネル選択情報を、光ディスク再生装置１１のフロントレフトスピーカ１２及びフロントライトスピーカ１３にフロントレフトセンターチャンネルの音声信号及びフロントレフトセンターチャンネルの音声信号をそれぞれ割り当て、音声再生機器１８のフロントレフトスピーカ１９及びフロントライトスピーカ２０にフロントレフトチャンネルの音声信号及びフロントレフトチャンネルの音声信号をそれぞれ割り当てるように書き替えることができる。
【００７７】
このようなチャンネル選択情報の書き替えは、ユーザがリモートコントローラ３７を操作して映像表示部２９に書き替えメニュー画面を表示させ、その書き替えメニュー画面上で行なわれる。図１６は、このような書き替えメニュー画面の一例を示している。この書き替えメニュー画面は、光ディスク再生装置１１及びそれに接続された音声再生機器１８を中心とし、その周囲の所定位置に複数のスピーカ４６が配置される構図となっている。そして、光ディスク再生装置１１及び声再生機器１８とそこに接続されているスピーカ４６とが接続線４７で結ばれている。
【００７８】
そして、ユーザは、リモートコントローラ３７を操作して接続線４７で接続されているスピーカ４６の中から所望のスピーカ４６を指定し、その指定したスピーカ４６に対して音声チャンネルを対応付けることにより、チャンネル選択情報の書き替えを行なうことができる。
【００７９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８０】
【図１】この発明の実施の形態を示すもので、音声再生システムの概略を説明するために示すブロック構成図。
【図２】同実施の形態における音声再生システムを構成する光ディスク再生装置の信号処理系を説明するために示すブロック構成図。
【図３】同実施の形態における音声再生システムを構成する音声再生機器の信号処理系を説明するために示すブロック構成図。
【図４】同実施の形態における音声再生システムを構成する光ディスク再生装置の処理動作の一部を説明するために示すフローチャート。
【図５】同実施の形態における音声再生システムを構成する光ディスク再生装置の処理動作の残部を説明するために示すフローチャート。
【図６】同実施の形態における音声再生システムを構成する光ディスク再生装置が取得するチャンネル情報の一例を説明するために示す図。
【図７】同実施の形態における音声再生システムを構成する光ディスク再生装置が生成するチャンネル選択情報の一例を説明するために示す図。
【図８】同実施の形態における音声再生システムを構成する光ディスク再生装置の処理動作の主要部を説明するために示すフローチャート。
【図９】同実施の形態における音声再生システムを構成する音声再生機器の処理動作を説明するために示すフローチャート。
【図１０】同実施の形態における音声再生システムを構成する光ディスク再生装置の変形例を説明するために示すブロック構成図。
【図１１】同実施の形態における音声再生システムを構成する音声再生機器の変形例を説明するために示すブロック構成図。
【図１２】同変形例における光ディスク再生装置の処理動作の一部を説明するために示すフローチャート。
【図１３】同変形例における光ディスク再生装置の処理動作の残部を説明するために示すフローチャート。
【図１４】同変形例における光ディスク再生装置の処理動作の主要部を説明するために示すフローチャート。
【図１５】同変形例における音声再生機器の処理動作を説明するために示すフローチャート。
【図１６】同実施の形態における光ディスク再生装置で表示される書き替えメニュー画面の一例を説明するために示す図。
【符号の説明】
【００８１】
１１…光ディスク再生装置、１２…フロントレフトスピーカ、１３…フロントライトスピーカ、１４…フロントセンタースピーカ、１５…リアレフトスピーカ、１６…リアライトスピーカ、１７…低域効果スピーカ、１８…音声再生機器、１９…フロントレフトスピーカ、２０…フロントライトスピーカ、２１…リアレフトスピーカ、２２…リアライトスピーカ、２３…光ディスク、２４…ディスクドライブ部、２５…分離部、２６…映像復号化部、２７…グラフィック処理部、２８…出力端子、２９…映像表示部、３０…音声復号化部、３１…ポスト処理部、３２…音声分割部、３３１〜３３６…出力端子、３４…インターフェース部、３５…入出力端子、３６…制御部、３６ａ…ＣＰＵ、３６ｂ…メモリ部、３６ｃ…情報解析部、３６ｄ…情報格納部、３６ｅ…再生能力判断部、３６ｆ…再生能力情報格納部、３６ｇ…選択情報格納部、３７…リモートコントローラ、３８…受光部、３９…入力端子、４０…インターフェース部、４１…駆動部、４２１〜４２４…出力端子、４３…制御部、４３ａ…ＣＰＵ、４３ｂ…メモリ部、４３ｃ…再生能力情報格納部、４３ｄ…選択情報格納部、４４…音声復号化部、４５…ポスト処理部、４６…スピーカ、４７…接続線。
【図１】
2009087449.tif 000003
【図２】
2009087449.tif 000004
【図３】
2009087449.tif 000005
【図４】
2009087449.tif 000006
【図５】
2009087449.tif 000007
【図６】
2009087449.tif 000008
【図７】
2009087449.tif 000009
【図８】
2009087449.tif 000010
【図９】
2009087449.tif 000011
【図１０】
2009087449.tif 000012
【図１１】
2009087449.tif 000013
【図１２】
2009087449.tif 000014
【図１３】
2009087449.tif 000015
【図１４】
2009087449.tif 000016
【図１５】
2009087449.tif 000017
【図１６】
2009087449.tif 000018